(57)【要約】ブルートゥース形式等の短距離無線通信を用い、家庭用の電気または電子の器具またはデバイスのコンフィギュレーションを行うシステムが、器具用ソフトウェアプログラムを含み、上記ソフトウェアによって設定を行うためにユニットと接続し、上記ユニットは器具またはデバイスのためのものである。それぞれの器具またはデバイスは対応するコントロールユニットを有する。上記コンピュータの上記ユニットは、短距離低帯域無線で、上記コントロールユニットと通信する。
2004519784.tif 000002
【特許請求の範囲】
【請求項１】
電子又は電気のデバイスのコンフィギュレーションを行うコンピュータであって、前記デバイスは前記コンピュータまたはその周辺機器以外のものであり、前記デバイスは無線で送られたデータを受信する受信器を含む、コンピュータであり、
デバイス設定データを表示するディスプレイ（１）と、
前記デバイスを設定するための設定データを受け入れる変換器であって、中央演算装置（１０）が、前記デバイスに関するソフトウェアプログラムを実行し、ディスプレイ（１）上への表示のために前記デバイス設定データを供給し、前記変換器から設定データを受信し、前記中央演算装置（１０）が、設定データを受信した際に前記デバイスのコンフィギュレーションを行うためにコントロール信号を供給する、変換器と、
前記コントロール信号を受信し、無線で前記コントロール信号を前記デバイスに送信する無線送受信器（６）と、を備え、
前記デバイスに関する前記ソフトウェアプログラムは、デバイス設定データの表示および設定データの受け入れのために、前記デバイスに固有のオプション設定データを受け取るものである、
ことを特徴とするコンピュータ。
【請求項２】
電子又は電気のデバイスのコンフィギュレーションを行うコンピュータであって、前記デバイスは前記コンピュータまたはその周辺機器以外のものであり、前記デバイスは無線で送られたデータを受信する受信器を含む、コンピュータであり、
前記ソフトウェアプログラムが複数の異なるデバイスによって使用可能で、このデバイスのそれぞれがデバイス特有の設定データに基づいて設定されている、
ことを特徴とする請求項１記載のコンピュータ
【請求項３】
電子又は電気のデバイスのコンフィギュレーションを行うコンピュータであって、前記デバイスは前記コンピュータまたはその周辺機器以外のものであり、前記デバイスは無線で送られたデータを受信する受信器を含む、コンピュータであり、
前記コントロール信号を受信して無線で前記コントロール信号を前記デバイスに送信する前記無線送受信器が、ブルートゥース形式の無線送受信器であることを特徴とする請求項１記載のコンピュータ。
【請求項４】
電子又は電気のデバイスのコンフィギュレーションを行うコンピュータであって、前記デバイスは前記コンピュータまたはその周辺機器以外のものであり、前記デバイスは無線で送られたデータを受信する受信器を含む、コンピュータであり、
使用中の、前記コントロール信号が、短距離低帯域の通信信号であることを特徴とする請求項１記載のコンピュータ。
【請求項５】
設定可能なデバイスであって、
前記設定可能なデバイスに関する設定データを記憶している記憶媒体（Ａ）であり、前記記憶媒体（Ａ）は前記設定データを中央演算装置（１０）にそこからの信号に応じて移送し、前記設定データは前記設定可能なデバイスをコンフィギュレートするために使用するソフトフェアプログラムを実行するためのものであり、前記中央演算装置（１０）はコンフィギュレーション条件を前記設定可能なデバイスに送信し前記設定可能なデバイスから前記設定データを受信する無線送受信器（６）を有する、記憶媒体Ａと、
前記デバイス内にあり、前記設定データを前記中央演算装置に送信し、前記中央演算装置の前記無線送受信器（６）からコンフィギュレーション条件を含む無線信号を受信する、無線トランシーバ（１２）と、
前記デバイスの設定のためにコンフィギュレーション条件を前記設定可能なデバイスのメモリの中に保存するコントローラ（１４）と、
を備えることを特徴とするデバイス。
【請求項６】
設定可能なデバイスであって、
記憶された実行可能なインストラクションを内部に含み、前記実行可能なインストラクションは前記中央演算装置上で前記設定可能なデバイスに前記信号を供給するために実行される、携帯用の記録媒体を備えることを特徴とする請求項５記載のデバイス。
【請求項７】
設定可能なデバイスであって、
中央演算装置（１０）上で実行される設定データが保存された記録媒体Ａであって、前記設定データは、前記設定可能なデバイスに関するものであり、コンフィギュレーション条件データを受信する時および前記設定可能なデバイスにコンフィギュレーション条件を含む無線信号を供給する時に実行される、記録媒体Ａと、
前記デバイス内にあり無線送信器（６）からコンフィギュレーション条件を含む無線信号を受信する無線受信器（１２）と、
前記デバイスの設定のためにコンフィギュレーション条件を前記設定可能なデバイスのメモリの中に保存するコントローラ（１４）と、を備え、
前記設定可能なデバイスは前記コンピュータまたはその周辺機器以外のものである、
ことを特徴とするデバイス。
【請求項８】
前記無線受信器がブルートゥース形式の無線受信器を含むことを特徴とする請求項７記載のデバイス。
【請求項９】
前記無線受信器がブルートゥース形式の無線送信器を含むことを特徴とする請求項８記載のデバイス。
【請求項１０】
前記設定データは伝達媒体を介してコンピュータ制御により修正できることを特徴とする請求項７記載のデバイス。
【請求項１１】
前記記録媒体は携帯用不揮発性記録媒体であることを特徴とする請求項７記載のデバイス。
【請求項１２】
前記記録媒体がフロッピーディスクを構成することを特徴とする、コンフィギュレーション可能な、電気又は電子の、請求項１１記載のデバイス。
【請求項１３】
前記記録媒体がＣＤ−ＲＯＭを構成することを特徴とする請求項１１記載のデバイス。
【請求項１４】
パソコンを用いてコンフィギュレーションできるデバイスであって、
前記デバイスに関するソフトウェアユニットを供給する記録媒体（Ａ）であって、前記ソフトウェアユニットは、前記ユーザインターフェイスに前記デバイスの設定のためのパソコンの中央演算装置上での実行を提供する、インストラクションを含む、記録媒体（Ａ）と、
無線通信の連絡手段を介して前記パソコンからコントロール信号を受信する受信器（１２）と、
ユーザのお気に入りのものを達成するために前記デバイスの前記メモリ内に設定データを記憶するコントローラ（１４）と、
を備えることを特徴とするデバイス。
【請求項１５】
電気又は電子のデバイスのコンフィギュレーションを行うための器具であって、
複数のインストラクションを実行する中央演算装置と、
前記デバイスに関するソフトウェアユニットを供給する記録媒体（Ａ）であって、前記ソフトウェアユニットは、前記ユーザインターフェイスに前記デバイスの設定のための中央演算装置（１０）上での実行を提供する、インストラクションを含む、記録媒体（Ａ）と、
デバイスに特有のユーザにお気に入りの設定データを実行中にデバイスに入力するソフトウェアアプリケーションと相互作用する入出力デバイスと、
前記コンピュータからの、入力された前記設定データに基づくコントロール信号を、前記デバイスに伝達するための、制御装置と、
短距離無線通信媒体を介して前記デバイスに前記コントロール信号を伝達する送信器（６）と、
前記デバイスにおける前記コントロール信号を受信する受信器（１２）と、
ユーザのお気に入りのものを達成するために前記デバイスの前記メモリ内に設定データを記憶するコントローラ（１４）と、
を備えることを特徴とする器具。
【請求項１６】
電気または電子のデバイスのコンフィギュレーションを行う方法であって、
デバイスと関連し、ユーザインターフェイスにコンピュータ上で実行するデバイスの設定を提供するソフトウェアユニットを、準備し、
パソコン上で前記ソフトウェアユニットを含むソフトウェアアプリケーションを実行し、
デバイスに特有のユーザにお気に入りの設定データを入力するために、実行中に、前記コンピュータ上で、前記ソフトウェアアプリケーションと相互に作用し、
前記コンピュータからの、入力された前記設定データに基づくコントロール信号を、伝達のために、前記デバイスに提供し、
短距離無線通信媒体を介して前記デバイスに前記コントロール信号を伝達し、
前記デバイスで前記コントロール信号を受信し、
ユーザのお気に入りのものを達成するために前記デバイスの前記メモリ内に設定データを記憶する、
ことを特徴とする方法。
【請求項１７】
電気または電子のデバイスのコンフィギュレーションを行う方法であって、前記コントロール信号を前記デバイスに伝達する工程が、ブルートゥース形式の無線送受信器を介した工程であることを特徴とする、請求項１６記載の方法。
【請求項１８】
電気または電子のデバイスのコンフィギュレーションを行う方法であって、前記コントロール信号を前記デバイスで受信する工程が、ブルートゥース形式の無線受信器を介した工程であることを特徴とする、請求項１７記載の方法。
【発明の詳細な説明】
【０００１】
発明の属する技術分野
本発明は、短距離無線通信を用いた、電気および電子の器具およびデバイスのコンフィギュレーションに関する。
【０００２】
発明の背景
新しい（電気）器具の購入は特別なことであり、ほとんどすべての人が最も高い質を獲得することを望み、このため言うまでもなく人々はできる限り多くのオプションを有する新しい器具を望む。ほとんどの器具、特に家庭用電気器具は、さまざまなキー状の押し型により設定される必要がある。例えばそのような器具および装置として、電話、スプリンクラー設備、セキュリティーシステム、温度自動調節器（サーモスタット）、ファクシミリ設備、音楽設備、テレビおよびビデオ器具、などがある。
【０００３】
新しく購入した器具を設定する見込みがやってくると、電気または電子の器具を設定できないことは、フラストレーションになる。実際、例えば、大体の場合に新しいサウンドシステムは電源につながれればすぐに使用することができるが、これでは、そのシステムがたくさんの種類のオプションを持ちうるにもかかわらず、単にその器具の標準的な基本設定で使用できるようになるに過ぎない。それ故、新しい所有者にとって、システムの設定のためのデバイス上のボタンと作用しているリモコンをどのように操作するかおよびそのすべてのリモコンをどのように使用するのかを知るために、取扱説明書を注意深く読む必要がある。従って、新しい設定を終える前に、多くの人は多大な時間がかかってあきらめてしまい、デバイスが適切に使用されない。
【０００４】
さらに、電気または電子の器具の設定を試みることの不快感が増加するのは、ディスプレイにあてられるスペースおよび収録されたシステムを入力するスペースが極めて限られていることである。このため、これらのデバイスの設定はとても面倒である。また、デバイスが電源に接続され部屋や家具の中の最も信頼が置ける位置に設置された時、そのデバイスのディスプレイは、デバイスを設定するためのインストラクション（コンピュータに特定の動作を行わせるために与える命令）を追加できるようにするためにディスプレイにできる限り近接させて、ユーザが床の上に座るか膝をつかなければならない場所に設置される。そのような不快な姿勢を長時間とっていると、多くのユーザは、それらの器具の能力を増加させることに気が進まなくなる。その結果、ユーザは、器具やデバイスのすべての特質を設定することに手数をかけなくなり、器具は最大の性能で使用されない。
【０００５】
このように、電子の、電気の、または電気通信のすべてのありうる器具に、容易で扱い易い設定環境を提供するソフトウェアを有するコンピュータ等のデバイスを、家庭で所有することは、大きな利点である。
【０００６】
発明の概要
本発明の目的は、記録媒体を備えるユニットを有する各々の器具であって、記録媒体は器具に設定可能なすべてのオプションを含んでいるデータを有し、記録媒体はパソコンに移動可能である、各々の器具を提供することである。
【０００７】
また、本発明の他の目的は、電気または電子の器具を設定する方法を提供することである。
【０００８】
また、本発明の他の目的は、コンピュータと器具との伝達システムを提供することである。
【０００９】
本発明のコンピュータは、電子又は電気のデバイスのコンフィギュレーションを行うコンピュータであって、前記デバイスは前記コンピュータまたはその周辺機器以外のものであり、前記デバイスは無線で送られたデータを受信する受信器を含む、コンピュータであり、
デバイス設定データを表示するディスプレイと、
前記デバイスの設定のための設定データを受け入れる変換器であって、中央演算装置が、前記デバイスに関するソフトウェアプログラムを実行し、ディスプレイ上への表示のために前記デバイス設定データを供給し、前記変換器から設定データを受信し、前記中央演算装置が、設定データを受信した際に前記デバイスをコンフィギュレートするためにコントロール信号を供給する、変換器と、
前記コントロール信号を受信し、無線で前記コントロール信号を前記デバイスに送信する無線送受信器と、を備え、
前記デバイスに関する前記ソフトウェアプログラムは、デバイス設定データの表示および設定データの受け入れの用法のために、前記デバイスに固有のオプション設定データを受け取るためのものである、
ことを特徴とする。
【００１０】
また、本発明のデバイスは、コンフィギュレーション可能な電気または電子のデバイスであって、
前記デバイスに関する設定データを記憶している記憶媒体であって、前記記憶媒体はデバイスのコンフィギュレーションを行うためのソフトウェアプログラムの実行を行う中央演算処理装置を有するコンピュータに前記設定データを伝達し、前記コンピュータはコンフィギュレーション条件を伝達するための無線送受信器を有する、記憶媒体と、
前記デバイス内にあり前記無線送受信器からコンフィギュレーション条件を無線で受信する無線受信器と、
受信したコンフィギュレーション条件を、前記デバイスの設定のために前記デバイスの設定可能なユニットに伝達する伝達プログラムと、
を備えることを特徴とする。
【００１１】
また、本発明のデバイスは、パソコンを用いてコンフィギュレーションできるデバイスであって、
前記デバイスに関するソフトウェアユニットを供給する記録媒体Ａであって、前記ソフトウェアユニットは前記ユーザインターフェイスに前記デバイスの設定のためのパソコンの中央演算装置上での実行を提供するインストラクションを含む、記録媒体Ａと、
無線通信の連絡手段を介した前記パソコンからのコントロール信号を受信する受信器と、
ユーザのお気に入りのものを達成するために前記デバイスの前記メモリ内に設定データを記憶するコントローラと、
を備えることを特徴とする。
【００１２】
また、本発明の器具は、電気又は電子のデバイスのコンフィギュレーションを行うための器具であって、
複数のインストラクションを実行する中央演算装置と、
前記デバイスに関するソフトウェアユニットを供給する記録媒体Ａであって、前記ソフトウェアユニットは前記ユーザインターフェイスに前記デバイスの設定のための中央演算装置上での実行を提供するインストラクションを含む、記録媒体と、
デバイスに特有のユーザにお気に入りの設定データを実行中にデバイスに入力するソフトウェアアプリケーションと相互作用する入出力デバイスと、
前記コンピュータからの、入力された前記設定データに基づくコントロール信号を、前記デバイスに伝達するための、制御装置と、
短距離無線通信媒体を介して前記デバイスに前記コントロール信号を伝達する送信器と、
前記デバイスにおける前記コントロール信号を受信する受信器と、
ユーザのお気に入りのものを達成するために前記デバイスの前記メモリ内に設定データを記憶するコントローラと、
を備えることを特徴とする。
【００１３】
また、本発明の方法は、電気または電子のデバイスのコンフィギュレーションを行う方法であって、
デバイスと関連し、ユーザインターフェイスにコンピュータ上で実行するデバイスの設定を提供するソフトウェアユニットを、準備し、
パソコン上で前記ソフトウェアユニットを含むソフトウェアアプリケーションを実行し、
デバイスに特有のユーザにお気に入りの設定データを入力するために、実行中に、前記コンピュータ上で、前記ソフトウェアアプリケーションと相互に作用し、
前記コンピュータからの、入力された前記設定データに基づくコントロール信号を、伝達のために、前記デバイスに提供し、
短距離無線通信媒体を介して前記デバイスに前記コントロール信号を伝達し、
前記デバイスで前記コントロール信号を受信し、
ユーザのお気に入りのものを達成するために前記デバイスの前記メモリ内に設定データを記憶する、
ことを特徴とする。
【００１４】
詳細な説明
本発明の目的は、ユーザに、電気または電子の器具を設定するための、コンピュータのインターフェイス（情報伝達装置）を提供することである。好ましくは、すべての器具は、この発明方法のために、コンピュータと連結するための１つのインターフェイスが備えられている。基本的に、１つの器具は、フロッピーディスクやＣＤ−ＲＯＭなどの、１つの可動ユニットを備えて提供される。好ましくは、ある特定の器具の可動ユニットは、特定の器具によって達成されうるすべてのセッティングを含んでいる。その可動ユニットのデータとパーソナルコンピュータ内のソフトウェアとの互換性は、使用者に、使用者のインターフェイスと相互に作用するコンピュータ上で、器具を設定することを許す。これは、好ましいことに、簡単で扱い易い設定環境である。
【００１５】
図１には、本発明の好適な実施の形態の概略図が示されている。設定・ステーションとしての、ハードディスク・ドライブ付きのコンピュータ１０が示されている。このコンピュータ１０は、モニター１、キーボード２、マウス４が備え付けられたコンピュータシステムの一部である。このコンピュータ１０内に存在するソフトウェアプログラム、例えばＭｙＨｏｍｅソフトウェアプログラムは、例えばフロッピーディスクやＣＤなどのさまざまなタイプのユニットから取り込まれたデータを読むことを可能にする。コンピュータの電気特性、例えばメモリ容量およびプロセス速度、に依存して、設定のインターフェイスは、グラフィカルユーザーインターフェース（ＧＵＩ、図形をマウスで選択してコンピュータを動かすシステム）にまで拡張できる。さらに、コンピュータは、ブルートゥース（コンピュータや周辺機器、携帯電話などをワイヤレスで接続するための無線通信規格）通信形式の短距離低帯域の無線通信に用いるデータを送信する、トランシーバ６を格納する。
【００１６】
個々の器具は、例えばフロッピーディスクやＣＤなどの、１つの関連ユニットを有している。個々のユニットは、ある器具にとって特有である。一方、いくつかのユニットは、多数の器具に関連づけられている。また、器具Ａは、ブルートゥース通信形式の短距離低帯域の無線通信を用いているコンピュータからのデータを受信する受信機１２を、格納する。可動ユニットＡは、互換性があり読込みできるＭｙＨｏｍｅデータを含んでおり、これらのデータは、器具Ａの設定に必要である。器具Ａは、通常、設定可能なメモリ１４を含んで出荷される。
【００１７】
実行中、器具Ａが設置された後、可動ユニットＡは、ユニットＡに含まれているデータがコンピュータシステム１０上のソフトウェアに利用できるようになるために、コンピュータに移される。ＭｙＨｏｍｅソフトウェアをあけることは、設定できる器具Ａのすべてのオプションとのアクセスを与える。このソフトウェアにより設定環境が与えられ、マウス４、キーボード２およびさらに大型ディスプレイモニター１は、器具Ａを設定するという設定の重荷を軽減する。コンピュータは、大容量のメモリと早いプロセススピードを有しているので、設定インターフェイスは、例えばＧＵＩを用いることで、とても記述的になる。これは家庭用の器具の設定をとても容易にし、使用者がこれらの器具を設定しなければならないというフラストレーションを減らす。さらに、コンピュータの使用はディスプレイおよび入力システムの限界を克服する。コンピュータを使用しなければもっと設定がめんどうになる。このように、器具の全ての特徴は、設定および扱いが容易なことである。注目すべきことは、データがプリントされた印刷物を作成するプリンタを利用できるので、コンピュータは、さらに、確認のため、故障探求のため、あるいは例えば郵便などによる他人への提供のために、プリントされた設定データを提供できる、という利点を備える。
【００１８】
使用者は、好みのものを選択しそれをコンピュータに入力する。コンピュータ上で設定が完成すると、それが、コンピュータの無線送受信器（トランシーバ）６から器具Ａの受信機１２を介して、器具Ａの設定可能なメモリ１４に伝達される。好ましくは、短距離低帯域の無線通信の原理は、例えばブルートゥースなどの、ワイヤレスタイプの伝達方式である。器具Ａは、短距離低帯域の無線通信の限界が許容する範囲で、コンピュータから離すことができる。この器具とコンピュータとは任意に家の中の２つの異なる部屋に設置され、また、器具は短距離通信の限界を超えないようにコンピュータに近づけて家の外に設置されてもよい。ここで述べた発明は、特に家庭用の器具および装置に関して検討したが、産業用や工業用の器具および装置にも適用できる。唯一の要求は、各種のユニットが伝達領域内にあることである。
【００１９】
この発明が、コンピュータが位置するベース地点から動かすことができる携帯用の器具の設定に、用いることができることが分かる。例えば、車の電気設備は、車が無線通信の範囲内に十分接近して位置している間にコンピュータによって設定された、コントロールユニットを含むことができる。このような設定は、例え車が無線範囲の外に移動するとしても、かなり効果的である。
【００２０】
これに加え、上記ソフトフェアの使用により、類似のデバイスに、データを共有させることができる。このようなデータ共有の例は、電話機、コードレス電話、ファックス、等の組織体の間で共有された電話名簿である。さらに、ある特定の器具に関する可動ユニットに含まれるその器具に特有のデータは、必要が生じた場合に更新するために、コンピュータに蓄えることができる。従って、新しい素材をコンピュータに入力することは、使用者に、新しい電話番号を電話メモリユニットに加えて電話機やコードレス電話の設定を更新させることを許容する。同様に、ファクシミリメモリユニットは、ファクシミリ設定に新しいファクシミリ番号を加えることで更新することができる。
【００２１】
デバイスのデータ共有の他の例は、セントラル暖房システムと、ある位置のエアコンシステムと、の両方を備える家の両システムである。実際は、家に住んでいる人々、例えば学校に行っている１人の子供と２人の働いている人とから構成される家族、の通常の予定に基づいて、ヒータは１年のうち寒い日、エアコンは１年のうち暑い日、のために設定される。当然、ヒータとエアコンの両方を設定するためのこの例で共有されるデータは、気温だけではなく、家族のタイムスケジュールも含んでいる。例えば、１年のうち寒い期間には、平日の子供が学校に行って両親が働いている間には家の中の気温は１７℃に設定される。これに対し、週末、および、学校および仕事の後の平日は、快適な生活温度に適した高い温度に設定される。同様に、１年のうちの熱い期間には、平日の家に誰もいない時間には温度が２５℃を越えないようにエアコンシステムが設定され、少なくとも家族の１人が帰ってきた時はさらに快適なレベルに適するように温度を下げるように設定される。通常の予定に基づいて暖房システム、エアコンシステムをコントロールすることは、家を暖める必要がある寒い地方に住んでいる人々にとって、暖房のコストを下げる興味ある方法である。この暖房システムおよびエアコンシステムの設定にとって、休日に気を配ることもできる。これは、家族のメンバーが平日に家に居ることになっているときに有効である。この設定は、日々の気温が快適になるようして、達成される。
【００２２】
上述のコンピュータを介してデバイスの初期の設定をすることの利点は、複数のキー状の押し型を用いるよりも、容易で、早く、通常さらに便利なことである。複数のキー状のシステムで設定を行うと、間違いがしばしば生じ、これらの間違いはしばしば見過ごされる。コンピュータ設定では、設定された情報が器具のメモリユニットに伝達される前に、設定された情報が正確なことが容易に確認される。また、好ましくは、多数のデバイスは、パソコンと通信する無線通信システムを有するユーザインターフェイスであってパソコンにおいてソフトウェアの実行中に上記デバイスに上記ユーザインターフェイスの要求を出すユーザインターフェイスを、要しない。これにより、コストが抑えられる。
【００２３】
また、本発明の他の利点は設定の共有に関する。インターネットは、簡単で効率的なデータ共有の経路を提供する。複雑だが効率的な種類の家庭用の暖房システムの設定に苦労している人は、他のユーザと設定を共有できる。このため、所期の設定を探して単にそれを自分のデバイスにコピーすることをなしうる。このように、使用者は、役に立つものを探す苦労なしに、望ましい設定を探して単にそれを使用者のデバイスにコピーすることをなしうる。
【００２４】
図２に、本発明のデバイスを設定する方法を示す。あるデバイスに関し特有のデータは、そのデバイスを設定するために送られた当該データと関連するソフトウェアが存在するパソコンに送られる。興味深いことに、あるデバイスに関する特有データは、フロッピーディスクやＣＤ−ＲＯＭなどの可動ユニットから送られる。もっとも、もしコンピュータがインターネットに接続され、もしそのデバイスを製造している会社がウェブサイト（インターネットで情報を公開している場所）を持っておりそのあるデバイスに関する特有データがオンラインで利用できれば、あるデバイスに関する特有データをインターネットから送ることも考えられる。ユーザは、そのデバイスを設定するためにソフトウェアアップリケーションと交信し、そのデバイスの使用のために気に入ったものを手に入れる。ユーザが設定を完了したら、その設定は、例えばブルートゥース通信形式などの、短距離低帯域の無線通信を介して、デバイスに送られる。デバイス内に存在する受信器はその設定を受信し、その設定はデバイスに備え付けられたメモリユニットに記憶され、メモリユニットは上記デバイスを使用するためにコンピュータで設定されたお気に入りのものを上記デバイスに装備する。
【００２５】
デバイスの設定がコンピュータ上で達成されることにより、デバイスにコントロールシグナルを送る前にコンピュータ上の設定を保存することができる。このため、設定者は、他の人の設定の使用を容易に準備することができる。例えば、子供が、あるデバイスに特有のデータをラップトップ（小型軽量のパーソナルコンピュータ）上に送り、テクノロジー恐怖症の親のために設定データを準備し、その設定をラップトップに保存することができる。親の家に到着した時、いくつかの即座のインストラクションおよび上記設定はデバイスのメモリユニットに送信され、デバイスが設定される。これは、調整や再設定が必要な家中のデバイスをいじる全部の訪問について、時間を浪費する必要性を軽減する。
【００２６】
電気または電子のデバイスの設定にパソコンを用いることの他の興味深い利点は、１回目のデバイスの設定が容易ならば、２回目や３回目のデバイスの設定も容易なことである。このため、ユーザが新しいお気に入りのものや新しいセッティングを入力したい時に、デバイスの設定を更新することが重荷にならない。例えば、孫が数週間の間、祖父母の家に休暇を過ごしに行ったとすると、祖父母は、テレビのセッティングを、いくつかのチャンネルにアクセスするのを禁じたり、音を合理的な大きさに制限したりするように設定することが容易にできる。
【００２７】
多数の他の実施例も、本発明の思想および範囲から逸脱しない限り、考えることができる。
【図面の簡単な説明】
【図１】
本発明の実施の形態の概略図。
【図２】
本発明の器具の設定の方法の流れを示す概略図。
【図１】
2004519784.tif 000003
【図２】
2004519784.tif 000004
【国際公開パンフレット】
2004519784.tif 000005
2004519784.tif 000006
2004519784.tif 000007
2004519784.tif 000008
2004519784.tif 000009
2004519784.tif 000010
2004519784.tif 000011
2004519784.tif 000012
2004519784.tif 000013
2004519784.tif 000014
2004519784.tif 000015
2004519784.tif 000016
2004519784.tif 000017
2004519784.tif 000018
2004519784.tif 000019
【国際公開パンフレット（コレクトバージョン）】
2004519784.tif 000020
【国際調査報告】
2004519784.tif 000021
2004519784.tif 000022
2004519784.tif 000023